(57)【要約】【課題】  発光式造花は、あくまで造花であり、生花に用いることができないこと。【解決手段】  このディスプレイ照明用発光装置１００は、ＬＥＤ１に装着する筒状の本体２と、この本体２の一端に設けられ且つその中心に光ファイバー３を固定する円柱台形状の固定部４と、当該固定部４の中央から延出した光ファイバー３と、光ファイバー３の先端に装着する半透明で着色されたキャップ５とから構成される。チューリップの花托から光ファイバー３の先端３ａを挿し込み、光ファイバー３の先端３ａに所定のキャップ５を取り付け、ＬＥＤ１を点灯すると、ＬＥＤ１の光は光ファイバー３を通じて花の中に位置する光ファイバー３の先端３ａから出射し、キャップ５により周囲に拡散する。チューリップの花が内部から照らされる。このようにすれば、生け花の内部に簡単に照明を取り付けることができる。【選択図】  図１
2011138728.tif 000002
【特許請求の範囲】
【請求項１】
発光ダイオードに装着する本体を有し、当該本体から光ファイバーが延出すると共にその先端が尖っており当該先端から光を出射することを特徴とするディスプレイ照明用発光装置。
【請求項２】
発光ダイオードに装着する本体を有し、当該本体から複数の光ファイバーが延出すると共に少なくともその一つの先端が尖っており当該先端から光を射することを特徴とするディスプレイ照明用発光装置。
【請求項３】
発光ダイオードが装着された本体を有し、当該本体から光ファイバーが延出すると共にその先端が尖っており当該先端から光を出射することを特徴とするディスプレイ照明用発光装置。
【請求項４】
更に、前記先端に被せる着色されたキャップ体を備えたことを特徴とする請求項１〜３のいずれか一つに記載のディスプレイ照明用発光装置。
【請求項５】
発光ダイオードに装着する本体を有し、当該本体から光ファイバーが延出すると共にその先端に光を透過すると共に先端を尖らせた針部が設けられたことを特徴とするディスプレイ照明用発光装置。
【発明の詳細な説明】
【技術分野】
【０００１】
本発明は、花、野菜、果物等の水分を含むものに対して投光を行うディスプレイ照明用発光装置に関するものである。
【背景技術】
【０００２】
従来から特許文献１に開示されている発光式造花が知られている。この発光式造花は、バラの造花の内側中央に広角発光ダイオードを設け、花により発光ダイオードを覆い隠し、この発光ダイオードの光を花の外側に透過させて、花の輪郭を浮かび上がらせるものである。
【先行技術文献】
【特許文献】
【０００３】
【特許文献１】実開平５−５８１１号公報
【発明の概要】
【発明が解決しようとする課題】
【０００４】
しかしながら、上記従来の発光式造花は、あくまで造花であり、生花に用いることができないという問題点があった。この発明は係る問題点を解決するためになされたものである。
【課題を解決するための手段】
【０００５】
本発明のディスプレイ照明用発光装置は、発光ダイオードに装着する本体を有し、当該本体から光ファイバーが延出すると共にその先端が尖っており当該先端から光を出射することを特徴とする。
【０００６】
また、この発明のディスプレイ照明用発光装置は、発光ダイオードに装着する本体を有し、当該本体から複数の光ファイバーが延出すると共に少なくともその一つの先端が尖っており当該先端から光を射することを特徴とする。
【０００７】
また、この発明のディスプレイ照明用発光装置は、発光ダイオードが装着された本体を有し、当該本体から光ファイバーが延出すると共にその先端が尖っており当該先端から光を出射することを特徴とする。
【０００８】
また、この発明のディスプレイ照明用発光装置は、上記発明において、更に、前記先端に被せる着色されたキャップ体を備えたことを特徴とする。
【０００９】
また、この発明のディスプレイ照明用発光装置は、発光ダイオードに装着する本体を有し、当該本体から光ファイバーが延出すると共にその先端に光を透過すると共に先端を尖らせた針部が設けられたことを特徴とする。
【図面の簡単な説明】
【００１０】
【図１】この発明の実施の形態１にかかるディスプレイ照明用発光装置を示す構成図である。
【図２】図１に示したディスプレイ照明用発光装置の一部拡大図である。
【図３】この発明のディスプレイ照明用発光装置の使用例を示す説明図である。
【図４】この発明のディスプレイ照明用発光装置の使用例を示す説明図である。
【図５】この発明の実施の形態２にかかるディスプレイ照明用発光装置を示す構成図である。
【図６】この発明の実施の形態３にかかるディスプレイ照明用発光装置を示す構成図である。
【図７】この発明の実施の形態４にかかるディスプレイ照明用発光装置を示す構成図である。
【図８】この発明の実施の形態の変形例にかかるディスプレイ照明用発光装置を示す構成図である。
【図９】この発明の実施の形態５にかかるディスプレイ照明用発光装置を示す構成図である。
【図１０】この発明のディスプレイ照明用発光装置の使用例を示す説明図である。
【発明を実施するための形態】
【００１１】
（実施の形態１）
図１は、この発明の実施の形態１にかかるディスプレイ照明用発光装置を示す構成図である。図２は、図１に示したディスプレイ照明用発光装置の一部拡大図である。このディスプレイ照明用発光装置１００は、発光ダイオード（ＬＥＤ）１に装着する筒状の本体２と、この本体２の一端に設けられ且つその中心に光ファイバー３を固定する円柱台形状の固定部４と、当該固定部４の中央から延出した光ファイバー３と、光ファイバー３の先端に装着する半透明で着色されたキャップ５とから構成される。前記本体２はシリコン製でありＬＥＤ１を当該本体２の他端に開口した穴６から挿入することで装着できる。
【００１２】
前記本体２は内部で光が反射しやすいように白色とするのが好ましい。また、前記ＬＥＤ１には白色ＬＥＤを用いるのが好ましい。また、ＬＥＤ１には電源７が設けられる。前記光ファイバー３には短距離の光の伝送であり且つ柔軟性を備えたプラスチック製のものを用いる。この光ファイバー３の長さは任意であるが、生け花の照明に用いるのであれば、３０ｃｍ以上１５０ｃｍ以下とするのが好ましい。
【００１３】
また、当該光ファイバー３の先端は、図２に示すように、円錐状に尖らせてある。先端には光ファイバー３のコア８とクラッド９とが露出している。また、前記キャップ５の内径は当該光ファイバー３の外径と略同じであり、光ファイバー３の先端に被せてその締りで固定できる程度の嵌め合いとするのが好ましい。キャップ５は、光が散乱するようにその表面に微小な凹凸が形成されている。また、必要に応じて複数種類の色を備えたキャップ５を用意する。
【００１４】
次に、このディスプレイ照明用発光装置１００の使用方法について説明する。図３は、この発明のディスプレイ照明用発光装置の使用例を示す説明図である。このディスプレイ照明用発光装置１００は、チューリップＴの花托Ｔ１から光ファイバー３の先端３ａを挿し込み、先端３ａを花Ｔ２の内部の中央、具体的には雌しべの近傍に位置させる。そして、光ファイバー３の先端３ａに所定のキャップ５を取り付ける。この状態でＬＥＤ１を点灯すると、ＬＥＤ１の光は光ファイバー３を通じて花の中に位置する光ファイバー３の先端３ａから出射し、キャップ５により周囲に拡散する。これにより、チューリップＴの花Ｔ２が内部から照らされる。
【００１５】
この発明のディスプレイ照明用発光装置１００によれば、生け花の内部に簡単に照明を取り付けることができる。更に、光ファイバー３を簡単に抜くことができるので、生け花自体でも鑑賞できる。光ファイバー３を挿し込むことで生じる穴は比較的小さいので生け花の外観に与える影響は少ない。更に、光ファイバー３から投射される光は温度が低いので、生け花が傷みにくい。
【００１６】
次に、図４に示すように、ピーマン等の中空の野菜や果物に対して当該発光装置１００を用いることもできる。ピーマンＰに用いる場合、ピーマンＰの外から光ファイバー３を挿し込み、当該光ファイバー３の先端３ａがピーマンＰの略中央に位置するようにする。この状態でＬＥＤ１を点灯させると、ＬＥＤ１の光が光ファイバー３を通じてその先端３ａからピーマＰの内部に照射され、ピーマンＰが内部から発光する。
【００１７】
ピーマンＰの他、中空の野菜や果物に対して用いても同様の効果がある。また、ブドウやサクランボ等の中実の果物等に用いても良い。例えば、ブドウに対して光ファイバー３を挿し込んで光を投射すると、ブドウが内部から薄く光るようになる。また、光ファイバー３からの光は温度が低いので野菜や果物が傷みにくいので、長期間の投光も可能である。更に、造花に対しては、造花の一部に穴を開けて上記光ファイバー３を挿し込むようにすれば良い。
【００１８】
（実施の形態２）
図５は、この発明の実施の形態２にかかるディスプレイ照明用発光装置を示す構成図である。このディスプレイ照明用発光装置２００は、一つのＬＥＤ１に対して複数本の光ファイバー３を備えた点に特徴があり、各光ファイバー３の構成は実施の形態１の光ファイバー３と同じであるからその説明を省略する。このディスプレイ照明用発光装置２００は、本体２０２の入口にＬＥＤ１を挿入する穴２０６を有し、その穴２０６の先には複数の光ファイバー３を固定する固定部２０４が設けられている。この固定部２０４には３本の光ファイバー３が固定されている。前記本体２０２はシリコン製であり、内部で光が反射しやすいように白色とするのが好ましい。
【００１９】
この実施の形態２にかかるディスプレイ照明用発光装置２００では、３本の光ファイバー３を同じ生け花に挿し込んでも良いし、別々の花に挿し込んでも良い。この発光装置２００によれば、光源であるＬＥＤ１が一つで済むので複数の花に光を投射する場合に好適である。
【００２０】
（実施の形態３）
図６は、この発明の実施の形態３にかかるディスプレイ照明用発光装置を示す構成図である。このディスプレイ照明用発光装置３００は、ＬＥＤ１が本体３０２に予め装着されている点に特徴がある。このディスプレイ照明用発光装置３００の本体３０２は樹脂製の分割構造である。本体３０２の一方側３０２ａにはＬＥＤ１が内設され、当該ＬＥＤ１は外部に設けた電源７に接続されている。本体３０２の他方側３０２ｂには、中心に光ファイバー３を固定する円柱台形状の固定部３０４が設けられ、当該固定部３０４の中央から光ファイバー３が延出している。その他の構造は実施の形態１にかかるディスプレイ照明用発光装置１００と同じであるからその説明を省略する。
【００２１】
このディスプレイ照明用発光装置３００では、ＬＥＤ１が本体３０２に設け且つ電源コードと本体３０２との間にシールを施すことで防水構造にできる。このため、生け花、野菜、果物等のように水に触れることが多い環境においても使用できる。
【００２２】
（実施の形態４）
図７は、この発明の実施の形態４にかかるディスプレイ照明用発光装置を示す構成図である。このディスプレイ照明用発光装置４００は実施の形態１のディスプレイ照明用発光装置１００と略同一の構成であるが、光ファイバー３の先端に透明の樹脂製の針部４１０を設けた点が異なる。この針部４１０は全体が円錐形状であり且つその内部４１１が空洞となっている。光ファイバー３の先端は当該空洞４１１に対して露出している（この実施の形態では光ファイバー３の先端は尖らせる必要がない）。空洞４１１の内面は光が散乱しやすいように微細な凹凸が形成されている。光ファイバー３を通った光は当該端部のコア８から針部４１０の内部に放射され、当該針部４１０の内部で光が散乱させられ、当該針部４１０から外部に放出される。
【００２３】
また、光ファイバー３の端部に対して針部４１０は固定されているので、生け花に挿し込む際も引き抜く際にも光ファイバー３から外れることがない。この光ファイバー３に取り付ける針部４１０の形状は円錐形状に限定されず、生け花に挿し込みやすい形状であれば良い。例えば、矢先形状であっても良い。
【００２４】
また、図８に示すように、上記実施の形態１〜３のディスプレイ照明用発光装置の光ファイバー３の先端３ａからその近傍に生け花等に挿し込む部分を補強するための筒体５０１を装着し、光ファイバー３が折れないようにしても良い。このとき、筒体５０１の先端５０１ａは光ファイバー３の先端３ａの尖った形状に合わせるようにする。
【００２５】
（実施の形態５）
図９は、この発明の実施の形態５にかかるディスプレイ照明用発光装置を示す構成図である。このディスプレイ照明用発光装置６００は、実施の形態１のディスプレイ照明用発光装置１００と略同一の構成であるが、キャップにクリップが設けられ、造花の花弁等に対して取り付けることができるようにした点が異なる。このキャップ６０１は半透明で所望の着色がなされたキャップ部６０５と、このキャップ部６０５に対して回転軸６０６が設けられ、回転軸６０６にはクリップの爪６０７がレバー６０８により開閉できるように取り付けられている。
【００２６】
ユーザは、図１０に示すように、キャップ部６０５とレバー６０８をつまんで爪６０７を開き、例えば造花の花Ｔ２に取り付ける。そして、キャップ部６０５に対して光ファイバー３の先端３ａを挿し込む。この状態でＬＥＤ１を点灯すると、ＬＥＤ１の光は光ファイバー３を通じて花の中に位置する光ファイバー３の先端３ａから出射し、キャップ６０１により周囲に拡散する。これにより、造花Ｔの花Ｔ２の周囲が照らされる。なお、キャップ６０１は、造花の花の中にクリップ留めして前記同様に光ファイバー３の先端３ａを接続することで、造花Ｔの内部を照明できる。
【符号の説明】
【００２７】
１００  ディスプレイ照明用発光装置
１  ＬＥＤ
２  本体
３  光ファイバー
４  固定部
５  キャップ
【図２】
2011138728.tif 000003
【図３】
2011138728.tif 000004
【図４】
2011138728.tif 000005
【図１０】
2011138728.tif 000006
【図１】
2011138728.tif 000007
【図５】
2011138728.tif 000008
【図６】
2011138728.tif 000009
【図７】
2011138728.tif 000010
【図８】
2011138728.tif 000011
【図９】
2011138728.tif 000012